(57)【要約】【課題】セキュリティを維持しつつ、利便性を向上することができる端末装置を提供する。【解決手段】端末装置は、表示部２と、記憶部５と、外部端末との間で相互通信が可能な通信部４と、特定情報が格納された、挿抜可能なＳＩＭカード６と、通信部２を介して外部端末から非公開情報を含む個人情報を受信し、該個人情報を処理する制御部１と、を有する。制御部１は、個人情報が暗号化されているか否かを判定し、暗号化されていない場合には、ＳＩＭカード６に保持されている特定情報を用いて個人情報を暗号化し、該暗号化した個人情報を記憶部５に格納させ、暗号化されている場合には、ＳＩＭカード６に保持されている特定情報を用いて個人情報を復号できるか否かを判定し、復号可能な場合にのみ、個人情報を記憶部６に格納する。【選択図】図１
2013246477.tif 000002
【特許請求の範囲】
【請求項１】
情報を表示する表示部と、
情報を記憶する記憶部と、
外部端末との間で相互通信が可能な通信部と、
特定情報が格納された、挿抜可能なＩＣカードと、
前記通信部を介して前記外部端末から個人情報を受信し、該個人情報を処理する制御部と、を有し、
前記制御部は、前記個人情報が暗号化されているか否かを判定し、暗号化されていない場合には、前記ＩＣカードに保持されている前記特定情報を用いて前記個人情報を暗号化し、該暗号化した個人情報を前記記憶部に格納させ、暗号化されている場合には、前記ＩＣカードに保持されている前記特定情報を用いて前記個人情報を復号できるか否かを判定し、復号可能な場合にのみ、前記個人情報を前記記憶部に格納する、端末装置。
【請求項２】
前記制御部は、前記外部端末から受信した前記個人情報が暗号化されておらず、前記特定情報での復号が不可能である場合には、前記個人情報を保存できない旨のメッセージを前記表示部に表示させる、請求項１に記載の端末装置。
【請求項３】
前記制御部は、前記記憶部に格納された前記暗号化した個人情報を、前記通信部を介して他の外部端末へ送信する、請求項１または２に記載の端末装置。
【請求項４】
前記個人情報は、非公開情報を含み、
前記制御部は、前記記憶部に格納された前記暗号化した個人情報を前記表示部に表示させる際は、前記ＩＣカードに保持されている前記特定情報を用いて該個人情報を復号し、該復号した個人情報のうち、前記非公開情報については、別の文字で置き換えて表示させ、前記非公開情報以外の情報については、そのまま表示させる、請求項１から３のいずれか１項に記載の端末装置。
【請求項５】
前記個人情報は、ユーザの氏名と該ユーザが所有している端末装置の電話番号とを少なくとも含み、該電話番号が前記非公開情報である、請求項４に記載の端末装置。
【請求項６】
前記特定情報が、当該端末装置の電話番号である、請求項１から５のいずれか１項に記載の端末装置。
【請求項７】
特定情報が格納された挿抜可能なＩＣカードを備えた端末装置にて行われる情報処理方法であって、
外部端末から個人情報を受信し、該個人情報が暗号化されているか否かを判定し、
暗号化されていない場合には、前記ＩＣカードに保持されている前記特定情報を用いて前記個人情報を暗号化し、該暗号化した個人情報を記憶部に格納させ、
暗号化されている場合には、前記ＩＣカードに保持されている前記特定情報を用いて前記個人情報を復号できるか否かを判定し、復号可能な場合にのみ、前記個人情報を前記記憶部に格納する、情報処理方法。
【請求項８】
特定情報が格納された挿抜可能なＩＣカードを備えた端末装置のコンピュータに、
外部端末から個人情報を受信し、該個人情報が暗号化されているか否かを判定する処理と、
暗号化されていない場合には、前記ＩＣカードに保持されている前記特定情報を用いて前記個人情報を暗号化し、該暗号化した個人情報を記憶部に格納させる処理と、
暗号化されている場合には、前記ＩＣカードに保持されている前記特定情報を用いて前記個人情報を復号できるか否かを判定し、復号可能な場合にのみ、前記個人情報を前記記憶部に格納する処理と、を実行させるプログラム。
【発明の詳細な説明】
【技術分野】
【０００１】
本発明は、外部端末装置との間で情報を送受する機能を備えた端末装置に関する。
【背景技術】
【０００２】
携帯電話機には、外部端末装置との相互通信が可能な通信機能、例えば、赤外線通信機能が設けられている。この通信機能を利用して、携帯電話機間で、電話帳情報等の情報を転送することができる。
【０００３】
しかし、転送先において、転送元の許可なしに、転送元からの電話帳情報を他の者に提示する場合がある。このように、転送元が許可していない者（第三者）に電話帳情報等の個人情報が提供されると、提供先にて、個人情報が悪用される場合がある。
【０００４】
特許文献１には、第三者への個人情報の提供を抑制することができる通信端末が開示されている。
【０００５】
上記通信端末は、電話帳データが格納される記憶部と、記憶部に格納された電話帳データを他の端末に転送する転送手段とを備える。記憶部に格納された電話帳データの各レコードは、第三者への転送を禁止する識別子の設定が可能とされている。上記通信端末は、識別子が自端末で設定したものでない場合に、該識別子が設定されたレコードの他の端末への転送を禁止する。これにより、転送元からの個人情報が転送先から第三者へ提供されることを抑制する。
【０００６】
また、最近の携帯電話機は、ＩＣカード、例えば、ＳＩＭ（Subscriber Identify Module）カードが搭載されている。このＳＩＭカードには、書き換え不可能な固有番号と携帯電話番号とが書き込まれている。
【０００７】
同じＳＩＭカードを複数の携帯電話機で使い回すことができる。これにより、例えば、プライベートと仕事で端末装置を使い分けることができる。また、同じ携帯電話機で異なる複数のＳＩＭカードを使い回すこともできる。
【先行技術文献】
【特許文献】
【０００８】
【特許文献１】特開２０１０−２２４８５９号公報
【発明の概要】
【発明が解決しようとする課題】
【０００９】
特許文献１に記載のものにおいては、転送先の通信端末は、転送元から受け取った電話帳情報のうち、第三者への転送を禁止する識別子が設定されたレコードについては、他の端末へ再転送することはできない。このため、転送先において、同じＳＩＭカードを用いて複数の携帯電話機を利用する場合に、各携帯電話機で、転送元から受け取った電話帳情報を共有することができず、利便性が損なわれていた。
【００１０】
本発明の目的は、上記問題を解決し、高いセキュリティを維持しつつ、利便性を向上することができる、端末装置、情報転送方法およびプログラムを提供することにある。
【課題を解決するための手段】
【００１１】
上記目的を達成するため、本発明の一態様によれば、
情報を表示する表示部と、
情報を記憶する記憶部と、
外部端末との間で相互通信が可能な通信部と、
特定情報が格納された、挿抜可能なＩＣカードと、
前記通信部を介して前記外部端末から個人情報を受信し、該個人情報を処理する制御部と、を有し、
前記制御部は、前記個人情報が暗号化されているか否かを判定し、暗号化されていない場合には、前記ＩＣカードに保持されている前記特定情報を用いて前記個人情報を暗号化し、該暗号化した個人情報を前記記憶部に格納させ、暗号化されている場合には、前記ＩＣカードに保持されている前記特定情報を用いて前記個人情報を復号できるか否かを判定し、復号可能な場合にのみ、前記個人情報を前記記憶部に格納する、端末装置が提供される。
【００１２】
本発明の別の態様によれば、特定情報が格納された挿抜可能なＩＣカードを備えた端末装置にて行われる情報処理方法であって、
外部端末から個人情報を受信し、該個人情報が暗号化されているか否かを判定し、
暗号化されていない場合には、前記ＩＣカードに保持されている前記特定情報を用いて前記個人情報を暗号化し、該暗号化した個人情報を記憶部に格納させ、
暗号化されている場合には、前記ＩＣカードに保持されている前記特定情報を用いて前記個人情報を復号できるか否かを判定し、復号可能な場合にのみ、前記個人情報を前記記憶部に格納する、情報処理方法が提供される。
【００１３】
本発明の他の態様によれば、
特定情報が格納された挿抜可能なＩＣカードを備えた端末装置のコンピュータに、
外部端末から個人情報を受信し、該個人情報が暗号化されているか否かを判定する処理と、
暗号化されていない場合には、前記ＩＣカードに保持されている前記特定情報を用いて前記個人情報を暗号化し、該暗号化した個人情報を記憶部に格納させる処理と、
暗号化されている場合には、前記ＩＣカードに保持されている前記特定情報を用いて前記個人情報を復号できるか否かを判定し、復号可能な場合にのみ、前記個人情報を前記記憶部に格納する処理と、を実行させるプログラムが提供される。
【発明の効果】
【００１４】
本発明によれば、高いセキュリティを維持しつつ、利便性を高めることができる。
【図面の簡単な説明】
【００１５】
【図１】本発明の一実施形態である携帯電話機の構成を示すブロック図である。
【図２】図１に示す携帯電話機にて行われる個人情報の転送処理の一手順を示すフローチャートである。
【図３】図１に示す携帯電話機にて表示されるメッセージの一例を示す模式図である。
【図４】図１に示す携帯電話機にて行われる転送元からの個人情報の格納処理の一手順を示すフローチャートである。
【図５】図１に示す携帯電話機にて表示される格納不可を示すメッセージの一例を示す模式図である。
【図６】図１に示す携帯電話機にて行われる個人情報の表示処理の一手順を示すフローチャートである。
【図７】図１に示す携帯電話機にて表示される個人情報の一例を示す模式図である。
【図８】図１に示す携帯電話機にて表示される通信不可を示すメッセージの一例を示す模式図である。
【図９】本発明の端末装置の利用形態の一例を示す模式図である。
【図１０】本発明の端末装置の利用形態の別の例を示す模式図である。
【図１１】本発明の端末装置の利用形態のさらに別の例を示す模式図である。
【図１２】本発明の端末装置の利用形態の他の例を示す模式図である。
【発明を実施するための形態】
【００１６】
次に、本発明の実施形態について図面を参照して説明する。
【００１７】
図１は、本発明の一実施形態である携帯電話機の構成を示すブロック図である。
【００１８】
図１を参照すると、携帯電話機は、制御部１、表示部２、入力操作部３、通信部４、記憶部５およびＳＩＭカード６を有する。
【００１９】
表示部２は、ＬＣＤ（Liquid Crystal Display）や有機ＥＬ（電子蛍光）などの表示装置である。
【００２０】
入力操作部３は、複数の操作ボタンやタッチパネル等の入力手段であって、入力操作に応じた信号を制御部１に供給する。
【００２１】
通信部４は、基地局との間で無線通信を行う第１の通信機能と、他の携帯電話機との間でデータを送受信する第２の通信機能を有する。
【００２２】
第１の通信機能により、携帯電話機は、移動通信網や公衆電話網等を介して外部の携帯電話機と相互に通信可能に接続される。また、第１の通信機能により、携帯電話機は、インターネットに代表されるネットワークへの接続も可能とされており、このネットワークを介して、サーバ等の外部装置から必要なプログラムやデータをダウンロードすることができる。
【００２３】
第２の通信機能は、例えば、赤外線通信機能やＢｌｕｅｔｏｏｔｈ（登録商標）に代表される無線通信機能である。第２の通信機能は、Ｆｅｌｉｃａ（登録商標）通信機能であってもよい。
【００２４】
記憶部５は、制御部１が実行する各種の制御用プログラムやそれらプログラムを用いた制御に必要な固定的なデータを格納する。記憶部５には、電話帳情報等の個人情報も格納される。
【００２５】
ＳＩＭカード６は、ＩＣカードであって、書き換え不可能な固有番号と携帯電話番号とが予め書き込まれている。ＳＩＭカード６は、スロットへの挿抜が可能であり、別の携帯電話機にて使用することもできる。
【００２６】
制御部１は、記憶部５に格納されているプログラムに従って動作するＣＰＵ（Central processing unit）よりなり、入力操作部３からの信号に応じて、必要な処理を実行し、また、表示部２や通信部４の各部の動作を制御する。ここで、必要な処理とは、個人情報の転送や表示に係るシークレット処理を含み、このシークレット処理を実行するためのシークレット機能として、制御部１は、シークレット転送処理部１０、シークレット設定部１１、シークレット格納処理部１２およびシークレット表示処理部１３を含む。シークレット処理は、プログラムにより提供することができる。
【００２７】
シークレット転送処理部１０は、他の携帯電話機に個人情報を転送する旨の信号を入力操作部３から受信した場合に、通信部４の第２の通信機能を使用して個人情報の転送を行う。この個人情報の転送において、シークレット転送処理部１０は、記憶部５に格納されている電話帳情報等の個人情報のシークレットのＯＮ／ＯＦＦの設定を確認する。
【００２８】
シークレットＯＮが設定されている場合、シークレット転送処理部１０は、転送先の携帯電話機が上記のシークレット機能を有しているか否かを確認し、転送先の携帯電話機が上記のシークレット機能を有している場合にのみ、個人情報をシークレットＯＮ／ＯＦＦ設定情報とともに転送先へ転送させる（シークレット転送）。
【００２９】
転送先の携帯電話機がシークレット機能を有しているか否かの確認は、次のような手順で行うことができる。
【００３０】
まず、転送元が、シークレット機能確認要求を転送先に送信する。転送先は、転送元からのシークレット機能確認要求に応じて、自身がシークレット機能を有している場合は、シークレット機能対応である旨の応答を転送元へ送信し、自身がシークレット機能を有していない場合には、シークレット機能非対応である旨の応答を転送元へ送信する。
【００３１】
転送元は、応答がシークレット機能対応である場合は、転送先の携帯電話機がシークレット機能を有していると判定し、応答がシークレット機能非対応である場合は、転送先の携帯電話機がシークレット機能を有していないと判定する。
【００３２】
また、転送元は、シークレット機能確認要求の送信後、所定の時間を経過しても応答を受信することができなかった場合は、転送先の携帯電話機がシークレット機能を有していないと判定する。
【００３３】
転送先の携帯電話機がシークレット機能を有していない場合は、シークレット転送処理部１０は、シークレットＯＮの設定がなされた個人情報の転送先への送信は行わず、特定のメッセージ、例えば、転送先がシークレット機能に対応していない旨を示すメッセージを表示部２に表示させる。
【００３４】
シークレットＯＦＦが設定されている個人情報については、シークレット転送処理部１０は、転送先に対するシークレット機能の有無の確認は行わず、そのまま、個人情報を転送先へ転送させる（通常転送）。
【００３５】
シークレット設定部１１は、入力操作部３からの信号に従って、記憶部５に格納されている個人情報に対するシークレットＯＮ／ＯＦＦの設定を行う。シークレットＯＮを設定した場合において、シークレット設定部１１は、個人情報それぞれについて、入力操作部３からの信号に従って、シークレットＯＮを示すフラグの設定を行う。
【００３６】
例えば、複数のレコードを備え、それぞれのレコードに、氏名、住所、電話番号等のアドレス情報が格納される電話帳情報において、シークレット設定部１１は、レコード毎に、シークレットＯＮを示すフラグをユーザの操作に応じて設定する。
【００３７】
また、シークレット設定部１１は、入力操作部３からの信号に従って、フラグが設定されたレコードに対して、例えば、「名前以外の個人情報は表示不可」といったシークレット表示制御情報を設定する。シークレット転送により、個人情報と一緒にシークレット表示制御情報が転送される。
【００３８】
シークレット格納処理部１２は、転送元の携帯電話機から受信した個人情報の記憶部５への格納を制御する。
【００３９】
具体的には、シークレット格納処理部１２は、転送元の携帯電話機から受信した個人情報が暗号化されているか否かを判定する。個人情報が暗号化されていない場合には、シークレット格納処理部１２は、ＳＩＭカード６に保持されている電話番号をキーとして用いて個人情報を暗号化し、該暗号化した個人情報を記憶部５に格納させる。
【００４０】
個人情報が暗号化されている場合には、シークレット格納処理部１２は、ＳＩＭカード６に保持されている電話番号をキーとして用いて個人情報を復号できるか否かを判定し、復号可能であれば、個人情報を記憶部５に格納し、復号不可能であれば、個人情報を保存できない旨のメッセージを表示部２に表示させる。
【００４１】
個人情報を記憶部５に格納する場合に、シークレット表示制御情報が個人情報に付与されている場合には、シークレット格納処理部１２は、個人情報と一緒にそのシークレット表示制御情報も記憶部５に格納する。また、個人情報を記憶部５に格納した場合に、各レコードに設定されたフラグもそのまま維持される。
【００４２】
シークレット表示処理部１３は、入力操作部３からの信号に従って、記憶部５に格納されている個人情報を表示部２に表示させる。具体的には、シークレット表示処理部１３は、フラグが設定された個人情報については、その個人情報に付与されているシークレット表示制御情報に基づく表示処理を行う。例えば、シークレット表示制御情報が「名前以外の個人情報は表示不可」といった情報である場合、シークレット表示処理部１３は、名前はそのまま表示させ、名前以外の情報（非公開情報）は別の文字で置き換えて表示させる。ここで、別の文字は、例えば伏字である。
【００４３】
記憶部５に格納された個人情報のうち、ＳＩＭカード６に保持されている電話番号に基づく暗号化が施された個人情報を表示する際は、シークレット表示処理部１３は、ＳＩＭカード６に保持されている電話番号を用いて個人情報を復号し、復号した個人情報について、その個人情報に付与されているシークレット表示制御情報に基づく表示処理を行う。
【００４４】
次に、本実施形態の端末装置の動作について具体的に説明する。
【００４５】
図２に、個人情報の転送処理の手順を示す。
【００４６】
ユーザが、入力操作部３にて個人情報を転送するための入力操作を行うと、入力操作部３が、その入力操作に応じた信号（転送指示）を制御部１に供給する（ステップＳ１）。
【００４７】
制御部１では、シークレット転送処理部１１が、入力操作部３からの信号（転送指示）に応じて、記憶部５に格納されている個人情報について、シークレットＯＮの設定がなされているか否かを確認する（ステップＳ２）。
【００４８】
シークレットＯＮが設定されている場合は、シークレット転送処理部１１は、転送先の端末装置に対してシークレット機能の有無を問い合わせ（ステップＳ３）、転送先の端末装置がシークレット機能を有しているか否かを確認する（ステップＳ４）。
【００４９】
転送先の端末装置がシークレット機能を有している場合は、シークレット転送処理部１１は、通信部４にて、記憶部５に格納されている個人情報を転送先の端末装置へ送信させる（ステップＳ５）。
【００５０】
転送先の端末装置がシークレット機能を有していない場合は、シークレット転送処理部１１は、個人情報の転送は行わず、例えば、図３に示すような、「転送相手がシークレット機能に対応していません」といったメッセージ７を表示部２に表示させる（ステップＳ６）。
【００５１】
図４に、転送元からの個人情報の格納処理の手順を示す。
【００５２】
通信部２が転送元の端末装置から個人情報を受信すると（ステップＳ７）、シークレット格納処理部１２が、通信部２で受信した個人情報が暗号化済みか否かを判定する（ステップＳ８）。
【００５３】
個人情報が暗号化済みである場合は、シークレット格納処理部１２は、ＳＩＭカード６に保持されている自端末の電話番号をキーとして用いて個人情報を復号できるか否かを確認する（ステップＳ９）。
【００５４】
復号可能であれば、シークレット格納処理部１２は、個人情報を記憶部６に格納する（ステップＳ１０）。復号不可能であれば、シークレット格納処理部１２は、格納不可を示すメッセージ、例えば図５に示すような「転送元の電話番号と違うため保存できません」といったメッセージ８を表示部２にて表示させる（ステップＳ１１）。
【００５５】
個人情報が暗号化済みでない場合は、シークレット格納処理部１２は、ＳＩＭカード６に保持されている自端末の電話番号をキーとして用いて個人情報を暗号化する（ステップＳ１２）。その後、ステップＳ１０で、シークレット格納処理部１２は、暗号化した個人情報を記憶部５に格納する。
【００５６】
図６に、個人情報の表示処理の手順を示す。
【００５７】
ユーザが、入力操作部３にて個人情報を表示するための入力操作を行うと、入力操作部３が、その入力操作に応じた信号（表示指示）を制御部１に供給する（ステップＳ２１）。
【００５８】
制御部１では、シークレット表示処理部１１が、入力操作部３からの信号（表示指示）に応じて、記憶部５に格納されている個人情報について、暗号化されているか否かを確認する（ステップＳ２２）。
【００５９】
暗号化されている場合は、シークレット表示処理部１１は、ＳＩＭカード６に保持されている自端末の電話番号をキーとして用いて個人情報を復号する（ステップＳ２３）。
【００６０】
次いで、シークレット表示処理部１１は、復号した個人情報について、フラグが設定されているか否かを判定する（ステップＳ２４）。
【００６１】
フラグが設定されていれば、シークレット表示処理部１１は、復号した個人情報に付与されているシークレット表示制御情報に従って、個人情報を表示部２にて表示させる（ステップＳ２５）。例えば、図７に示すように、氏名のみを表示、それ以外の情報（電話番号等の非公開情報）については、伏字により表示する。
【００６２】
ステップＳ２２で、暗号化されていないと判定した場合、または、ステップＳ２４でフラグ設定されていないと判定した場合は、シークレット表示処理部１１は、個人情報をそのまま表示部２にて表示させる（ステップＳ２６）。
【００６３】
なお、ステップＳ２３において、ＳＩＭカード６が挿入されていない場合、または、電話番号が異なる別のＳＩＭカードが挿入されている場合は、シークレット表示処理部１１は、個人情報を復号することができないため、図８に示すような通信不可を示すメッセージを表示部２に表示させる。
【００６４】
以上説明した本実施形態の携帯電話機によれば、以下のような効果を奏する。以下では、第１乃至第４の利用形態を挙げ、それぞれの利用形態における動作とともに効果を説明する。
【００６５】
（１）第１の利用形態：
第１の利用形態では、図９に示すように、それぞれが図１に示した構成を備えた２台の携帯電話機２０、３０を利用する。ＳＩＭカード２１には、携帯電話機２０の電話番号が格納され、ＳＩＭカード３１には、携帯電話機３０の電話番号が格納されている。
【００６６】
赤外線通信により、携帯電話機２０から携帯電話機３０へ、携帯電話機２０の電話番号情報（氏名、電話番号等）を転送する（図２のステップＳ１〜Ｓ５の処理）。
【００６７】
携帯電話機３０では、携帯電話機２０から転送された電話番号情報が、ＳＩＭカード３１に格納されている携帯電話機３０の電話番号に基づいて暗号化され、暗号化された電話番号情報が記憶部に格納される（図４のステップＳ７、Ｓ１２、Ｓ１０の処理）。
【００６８】
携帯電話機３０にて、記憶部に格納された暗号化した電話番号情報を、ＳＩＭカード３１に格納されている携帯電話機３０の電話番号に基づいて復号し、復号した電話番号情報のうち、氏名についてはそのまま表示させ、氏名以外の非公開情報（電話番号等）については伏字で表示する（図７）。
【００６９】
上記の表示によれば、非公開情報（電話番号等）は伏字により表示されるので、第三者が、携帯電話機３０の表示から、携帯電話機２０から転送された非公開情報（電話番号等）を取得することは困難である。
【００７０】
（２）第２の利用形態：
第２の利用形態は、図１０に示すように、携帯電話機３０からＳＩＭカード３１を抜去した形態である。ここで、携帯電話機３０は、第１の利用形態で携帯電話機２０から転送された電話番号情報を暗号化して格納しているものとする。
【００７１】
携帯電話機３０にて、個人情報を表示するための入力操作が行われても、ＳＩＭカード３１が挿入されていないため、記憶部に格納された暗号化した電話番号情報を復号することができない。よって、図８に示したような通信不可を示すメッセージが表示される。
【００７２】
上記の表示によれば、携帯電話機２０から転送された電話番号情報は何も表示されないので、第三者が、携帯電話機３０の表示から、携帯電話機２０から転送された非公開情報（電話番号等）を取得することは困難である。
【００７３】
（３）第３の利用形態：
第３の利用形態では、図１１に示すように、それぞれが図１に示した構成を備えた２台の携帯電話機３０、４０を利用する。ここで、携帯電話機３０は、第１の利用形態で携帯電話機２０から転送された電話番号情報を暗号化して格納しているものとする。
【００７４】
携帯電話機３０からＳＩＭカード３１を抜去し、そのＳＩＭカード３１を携帯電話機４０に挿入する。その後、赤外線通信により、携帯電話機３０から携帯電話機４０へ、携帯電話機２０の電話番号情報（ＳＩＭカード３１の電話番号で暗号化されている）を転送する（図２のステップＳ１〜Ｓ５の処理）。
【００７５】
携帯電話機４０では、携帯電話機３０から転送された携帯電話機２０の電話番号情報はすでに暗号化されているため、そのまま記憶部に格納される（図４のステップＳ７〜Ｓ１０の処理）。
【００７６】
携帯電話機４０にて、記憶部に格納された暗号化した電話番号情報を、ＳＩＭカード３１に格納されている電話番号に基づいて復号し、復号した電話番号情報のうち、氏名についてはそのまま表示させ、氏名以外の非公開情報（電話番号等）については伏字で表示する（図７）。
【００７７】
上記の表示によれば、非公開情報（電話番号等）は伏字により表示されるので、第三者が、携帯電話機４０の表示から、携帯電話機２０の電話番号等の非公開情報を取得することは困難である。
【００７８】
また、携帯電話機２０の電話番号情報を、携帯電話機３０から携帯電話機４０へ転送して利用することができるので、利便性が向上する。
【００７９】
（４）第４の利用形態：
第３の利用形態では、図１２に示すように、それぞれが図１に示した構成を備えた２台の携帯電話機３０、４０を利用する。ＳＩＭカード４１には、携帯電話機４０の電話番号が格納されている。ここで、携帯電話機３０は、第１の利用形態で携帯電話機２０から転送された電話番号情報を暗号化して格納しているものとする。
【００８０】
赤外線通信により、携帯電話機３０から携帯電話機４０へ、携帯電話機２０の電話番号情報（ＳＩＭカード３１の電話番号で暗号化されている）を転送する（図２のステップＳ１〜Ｓ５の処理）。
【００８１】
携帯電話機４０では、携帯電話機３０から転送された携帯電話機２０の電話番号情報（暗号化済み）をＳＩＭカード４１に格納された電話番号で復号することができないため、図５に示したメッセージが表示される（図４のステップＳ７〜Ｓ９、Ｓ１１の処理）。
【００８２】
上記の処理によれば、携帯電話機２０の電話番号情報は、ＳＩＭカード３１以外のＳＩＭカードを利用する携帯電話機へ転送して利用することは困難である。すなわち、第三者は、ＳＩＭカード３１を取得しない限り、携帯電話機２０の電話番号情報を利用することはできない。
【００８３】
以上説明した本実施形態によれば、特許文献１に記載のものと比較して、高いセキュリティを維持しつつ、利便性を高めることができるという効果を奏する。
【００８４】
本実施形態の携帯電話機において、個人情報の暗号／復号のキーとして、電話番号を用いているが、本発明は、そのような構成に限定されない。暗号／復号のキーは、ＳＩＭカードに保持された固有情報またはそれに対応する識別情報であってもよい。
【００８５】
本発明は、携帯電話機以外のもの、例えば、ＰＤＡ（Personal Data Assistance，Personal Digital Assistants）、ゲーム機、デジタルオーディオビジュアル機などにも適用することができる。
【符号の説明】
【００８６】
１  制御部
２  表示部
３  入力操作部
４  通信部
５  記憶部
６  ＳＩＭカード
１０  シークレット転送処理部
１１  シークレット設定部
１２  シークレット格納処理部
１３  シークレット表示処理部
【図１】
2013246477.tif 000003
【図２】
2013246477.tif 000004
【図３】
2013246477.tif 000005
【図４】
2013246477.tif 000006
【図５】
2013246477.tif 000007
【図６】
2013246477.tif 000008
【図７】
2013246477.tif 000009
【図８】
2013246477.tif 000010
【図９】
2013246477.tif 000011
【図１０】
2013246477.tif 000012
【図１１】
2013246477.tif 000013
【図１２】
2013246477.tif 000014